(57)【特許請求の範囲】
【請求項１】
放送信号を受信する受信手段を備える放送受信装置において、
複数の数字釦を備える操作入力装置と、
前記数字釦の各々に割り当てる一のジャンルに属する複数のチャンネルをユーザに設定させるチャンネル設定手段と、
前記数字釦の短押し操作に基づいて、前記チャンネル設定手段により当該数字釦に割り当てられた一のジャンルに属する複数のチャンネルのうち、予め設定された優先順位の最も高いチャンネルを選局する第１の選局手段と、
前記数字釦の長押し操作に基づいて、前記チャンネル設定手段により当該数字釦に割り当てられた一のジャンルに属する複数のチャンネルの何れか一つのチャンネルを選局する第２の選局手段と、
を備えることを特徴とする放送受信装置。
【請求項２】
前記チャンネル設定手段は、前記数字釦に割り当てる一のジャンルをユーザに選択させ、選択された当該一のジャンルに属するチャンネルの一覧を表示部に表示させ、当該表示部に表示されたチャンネルの中から、前記操作入力装置により当該数字釦に割り当てる複数のチャンネルをユーザに選択させて設定させることを特徴とする請求項１に記載の放送受信装置。
【請求項３】
前記第２の選局手段は、前記数字釦の長押し操作に基づいて、当該数字釦に割り当てられた前記複数のチャンネルの一覧を前記表示部に表示させ、当該一覧において前記操作入力装置により選択されたチャンネルを選局することを特徴とする請求項２に記載の放送受信装置。
【請求項４】
前記第２の選局手段は、前記数字釦が長押し操作されている間に、当該数字釦に割り当てられた複数のチャンネルを順に選択し、当該長押し操作が終了した時点で選択されているチャンネルを選局することを特徴とする請求項１又は２に記載の放送受信装置。
【請求項５】
前記数字釦の各々に割り当てる前記複数のチャンネルの各々に対して優先度を設定する優先度設定手段を備えることを特徴とする請求項１〜４の何れか一項に記載の放送受信装置。
【発明の詳細な説明】
【技術分野】
【０００１】
本発明は、選局されたチャンネルの放送信号を受信する放送受信装置に関する。
【背景技術】
【０００２】
近年では、デジタル放送の普及に伴い、放送受信装置において、多チャンネルの番組を視聴することができる。しかしながら、多チャンネル化が進む一方で、ワンタッチ選局釦に割り当てられていないチャンネルを選局する場合に、３桁のチャンネル番号を１桁ずつ入力しなければならなかったり、お好みチャンネルとして記憶したチャンネルをＯＳＤ表示して、そのＯＳＤ画面の中から希望のチャンネルを選択しなければならない等、ユーザにとってチャンネル選局操作が益々面倒なものとなっている。
【０００３】
そこで、例えば、特許文献１には、一つのリモコン番号キーに対して、複数の受信チャンネルを割り当て、トグル選局することで受信チャンネルを選局することができる放送受信装置が提案されている。
また、特許文献２には、同一のチャンネル選局ボタンに対して複数の放送が対応付けられており、当該チャンネル選択ボタンを連続して操作することで複数の放送のうちの望みの放送を選局することが可能となるデジタル放送受信装置が提案されている。
【特許文献１】特開２００６−２７９６６３号公報
【特許文献２】特開２００５−３４８０１０号公報
【発明の開示】
【発明が解決しようとする課題】
【０００４】
しかしながら、上記特許文献１及び２では、ユーザが、ワンタッチ選局釦に希望のチャンネルを自由に設定することはできないため、ワンタッチ選局釦の操作に際してユーザが視聴しないチャンネルにも切り換えられることとなって効率が悪く、また、使い勝手が悪い。
【０００５】
本発明の課題は、操作性に優れたチャンネル選局操作で、希望のチャンネルに効率良く切り換えることができる放送受信装置を提供することである。
【課題を解決するための手段】
【０００６】
上記課題を解決するため、請求項１に記載の発明は、放送信号を受信する受信手段を備える放送受信装置において、
複数の数字釦を備える操作入力装置と、
前記数字釦の各々に割り当てる一のジャンルに属する複数のチャンネルをユーザに設定させるチャンネル設定手段と、
前記数字釦の短押し操作に基づいて、前記チャンネル設定手段により当該数字釦に割り当てられた一のジャンルに属する複数のチャンネルのうち、予め設定された優先順位の最も高いチャンネルを選局する第１の選局手段と、
前記数字釦の長押し操作に基づいて、前記チャンネル設定手段により当該数字釦に割り当てられた一のジャンルに属する複数のチャンネルの何れか一つのチャンネルを選局する第２の選局手段と、
を備えることを特徴とする。
【０００７】
請求項２に記載の発明は、請求項１に記載の放送受信装置において、前記チャンネル設定手段は、前記数字釦に割り当てる一のジャンルをユーザに選択させ、選択された当該一のジャンルに属するチャンネルの一覧を表示部に表示させ、当該表示部に表示されたチャンネルの中から、前記操作入力装置により当該数字釦に割り当てる複数のチャンネルをユーザに選択させて設定させることを特徴とする。
【０００８】
請求項３に記載の発明は、請求項２に記載の放送受信装置において、前記第２の選局手段は、前記数字釦の長押し操作に基づいて、当該数字釦に割り当てられた前記複数のチャンネルの一覧を前記表示部に表示させ、当該一覧において前記操作入力装置により選択されたチャンネルを選局することを特徴とする。
【０００９】
請求項４に記載の発明は、請求項１又は２に記載の放送受信装置において、前記第２の選局手段は、前記数字釦が長押し操作されている間に、当該数字釦に割り当てられた複数のチャンネルを順に選択し、当該長押し操作が終了した時点で選択されているチャンネルを選局することを特徴とする。
【００１０】
請求項５に記載の発明は、請求項１〜４の何れか一項に記載の放送受信装置において、前記数字釦の各々に割り当てる前記複数のチャンネルの各々に対して優先度を設定する優先度設定手段を備えることを特徴とする。
【発明の効果】
【００１２】
本発明によれば、複数の数字釦を備える操作入力装置が備わり、チャンネル設定手段により、数字釦の各々に割り当てる一のジャンルに属する複数のチャンネルがユーザにより設定され、第１の選局手段により、数字釦の短押し操作に基づいて、チャンネル設定手段により当該数字釦に割り当てられた一のジャンルに属する複数のチャンネルのうち、予め設定された優先順位の最も高いチャンネルが選局され、第２の選局手段により、数字釦の長押し操作に基づいて、チャンネル設定手段により当該数字釦に割り当てられた一のジャンルに属する複数のチャンネルの何れか一つのチャンネルが選局される。
即ち、ユーザは、各数字釦に一のジャンルに属する希望の複数のチャンネルを自由に設定することができるため、数字釦の押下によるチャンネルの選局に際して、ユーザが視聴しないチャンネルに切り換えられることによる効率性の低下を防ぐとともに、操作入力装置の使い勝手を向上させることができる。また、数字釦を短押し操作すると、ユーザが設定した一のジャンルに属する複数のチャンネルのうち、優先順位の最も高いチャンネルが選局され、数字釦を長押し操作すると、ユーザが設定した一のジャンルに属する複数のチャンネルのうち、何れかのチャンネルが選局されることとなる。したがって、操作性に優れたチャンネル選局操作で、希望のチャンネルに効率良く切り換えることができる放送受信装置を提供することができる。
【発明を実施するための最良の形態】
【００１３】
（実施形態１）
以下、本発明の実施形態１を、図面を参照しながら説明する。なお、本発明の範囲は、図示例に限定されない。
【００１４】
図１は、本実施形態１における放送受信装置としてのテレビジョン受像機１００の全体構成を例示する図である。
実施形態１のテレビジョン受像機１００は、例えば、地上デジタル放送、ＢＳデジタル放送、ＣＳデジタル放送等の、複数の放送種別の放送データを受信する共用受信機である。
図１に示すように、本テレビジョン受像機１００は、ユーザが各種指示を入力する操作入力装置としてのリモコン装置１と、このリモコン装置１により遠隔操作される本体部２と、を備えて構成されている。
【００１５】
図２は、リモコン装置１の平面図である。図２に示すように、リモコン装置１には、ユーザが本体部２に対して各種指示を入力するための複数の釦を備える操作部１ａが設けられている。操作部１ａに備わる複数の釦は、例えば、電源釦１１、視聴する放送種別（例えば、地上デジタル放送・ＢＳデジタル放送・ＣＳデジタル放送等）を切り換える放送種別切換釦１２、各釦に「１」〜「１２」の数字が割り当てられた１２個の数字釦１３、メニュー釦１４、ＥＰＧ（電子番組表）釦１５、リターン釦１６、音声切換釦１７、上下左右を指示するカーソル釦１８、決定釦１９、チャンネルアップ／ダウン釦２０、ボリュームアップ／ダウン釦２１等である。
【００１６】
リモコン装置１に備わるこれらの釦の各々には識別情報が割り当てられており、所定の記憶領域に記憶されている。そして、ユーザにより釦の押下操作が行われると、操作された釦の識別情報が読み出されて、当該識別情報に対応するリモコン信号が生成される。そして、生成されたリモコン信号が図示しない送信部から送信され、本体部２の前面パネル等に設けられたリモコン信号受光部２１において受信される。
【００１７】
１２個の数字釦１３の一又は複数のそれぞれには、後述するチャンネル・優先度設定プログラム３１５ａの実行において、一のジャンルに属する複数のチャンネルが割り当てられており、各数字釦１３に割り当てられたチャンネルは設定メモリ３１４ａ（後述）に記憶されている。また、当該設定メモリ３１４ａには、各数字釦１３に割り当てられている複数のチャンネルに対して、数字釦１３の操作に基づくそのチャンネルの選局の優先度が記憶されている。そして、後述する第１の選局プログラム３１５ｂの実行において、ユーザによる数字釦１３の短押し操作に基づいて、短押し操作された数字釦１３に割り当てられている複数のチャンネルのうち、優先度の最も高いチャンネルが選局されることとなる。また、第２の選局プログラム３１５ｃの実行において、ユーザによる数字釦１３の長押し操作に基づいて、長押し操作された数字釦１３に割り当てられている複数のチャンネルのうちの何れかのチャンネルが選局されることとなる。
また、リモコン装置１に選局法切換釦（図示省略）を設けて、数字釦１３を、３桁チャンネル番号等を直接入力するための釦に切り換えることが可能であっても良い。
【００１８】
図３は、実施形態１におけるテレビジョン受像機１００の本体部２の要部構成を例示するブロック図である。
図３に示すように、本体部２は、リモコン装置１からのリモコン信号を受信するリモコン信号受光部２１、地上デジタル放送・ＢＳデジタル放送・ＣＳデジタル放送等の放送データを受信するアンテナ２２、アンテナ２２により受信された放送データから希望チャンネルの放送データを選局する受信手段としてのチューナ２３、チューナ２３により選局された放送データを復調する復調部２４、復調部２４により復調された放送データを複数のデータに分離してデコードするデコーダ部２５、デコーダ部２５から入力される映像信号に対して所定の映像処理を行う映像処理部２６、デコーダ部２５から入力される音声信号に対して所定の音声処理を行う音声処理部２７、映像処理部２６により処理された映像信号にＯＳＤデータを付加するＯＳＤ回路２８、映像処理部２６により処理された映像信号を出力する表示部２９、音声処理部２７により処理された音声信号を出力する音声出力部３０、テレビジョン受像機１００全体を統括制御する制御部３１等を備えており、各部はバスにより接続されている。
【００１９】
リモコン信号受光部２１は、例えば、図示は省略するが、フォトダイオード、ＳＵＢＣＰＵ、増幅部、復調部、デコーダ等を備えて構成されている。そして、リモコン装置１から送信されたリモコン信号を、本体部２の前面パネル等に設けられたフォトダイオードにおいて受信すると、ＳＵＢＣＰＵの制御により、増幅部により増幅した後に復調部において復調し、さらに、デコーダにより波形整形、誤り訂正等の各種処理を行って、入力されたリモコン信号から識別情報を取得し、制御部３１に対して出力する。制御部３１は、リモコン信号受光部２１から入力されるリモコン信号の識別情報に基づいて、リモコン装置１において操作された釦の判別を行う。
【００２０】
アンテナ２２は、例えば、地上デジタルアンテナ、ＢＳ・ＣＳパラボラアンテナ等であり、例えば、屋外において所定の方向に向けて配置され、各放送種別の高周波信号（放送データ）を受信する。
【００２１】
チューナ２３は、例えば、地上デジタル放送、ＢＳデジタル放送、ＣＳデジタル放送等の各放送種別に対応するチューナ２３を備える。例えば、地上デジタルチューナは、地上デジタルアンテナにより入力された高周波信号の放送データの中から、ＢＰＦ（バンドパスフィルタ）により特定周波数帯の信号を抽出して増幅し、局部発振器及びミキサにより周波数変換する。更に、ＢＰＦにより特定周波数帯の信号を抽出して、低周波信号に変換した後にＬＰＦ（ローパスフィルタ）を介してＡＤ変換等を行い、復調部２４に出力する。また、例えば、ＢＳ・ＣＳチューナは、ＢＳ・ＣＳアンテナにより入力され、ＩＦ信号に変換された放送データを増幅した後に、局部発振器及び２つのミキサにより所定の信号を生成する。そして、ＬＰＦを介して特定周波数帯の信号を取得した後に、ＡＤ変換等を行って復調部２４に出力する。
【００２２】
復調部２４は、例えば、地上デジタル放送、ＢＳデジタル放送、ＣＳデジタル放送等の各放送種別に対応する復調部２４を備え、制御部３１からの制御に基づいて、チューナ２３において選局されたチャンネルの信号に対してデジタル復調や誤り訂正などの処理を実行し、ＴＳを生成して、分離部２５１に出力する。
【００２３】
デコーダ部２５は、例えば、分離部２５１、ビデオデコーダ２５２、オーディオデコーダ２５３、データデコーダ２５４等を備えて構成されている。
分離部２５１は、復調部２４から入力される放送データをビデオデータ、オーディオデータ、デジタル放送におけるＰＳＩ（Program Specific Information:番組特定情報）、ＳＩ（Service Information: 番組配列情報）等の複数のストリームに分離する。ＰＳＩは、ＰＭＴ（Program Map Table）、ＰＡＴ（Program Association Table）、ＮＩＴ（Network Information Table）、ＣＡＴ（Conditional Access Table）のテーブルであり、ＴＳパケットのＰＩＤ(Packet Identifier)に基づいて、選局された番組の提供に必要なパケットを選択する際等に用いられる。また、ＳＩは、サービス（チャンネル）に関する情報を記述するＳＤＴ（Service Description Table）、番組（イベント）に関する情報を記述するＥＩＴ（Event Information Table）、現在の日付・時刻を記述するＴＯＴ（Time Offset Table）、放送事業者に関する情報を記述するＢＩＴ（Broadcaster Information Table）等の各種テーブルである。ＥＩＴのＥＩＴ scheduledには、現在放送中の番組及び８日以内に放送予定の番組に関する情報（例えば、タイトル、チャンネル、放送局、ジャンル、放送時刻としての放送開始時刻・放送終了時刻、出演者、番組内容等）が記述され、電子番組表（ＥＰＧ：Electronic Program Guide）として用いられる。
ＣＰＵ３１１は、ＰＳＩと各ＴＳパケットが有するＰＩＤに基づいて、必要なＴＳパケットを取得して、ＭＰＥＧ２（Moving Picture Experts Group 2）規格下のビデオストリームをビデオデコーダ２５２に、オーディオストリームをオーディオデコーダ２５３に、さらに、必要なＳＩをデータデコーダ２５４に出力する。
【００２４】
ビデオデコーダ２５２は、分離部２５１から入力されたビデオストリームをデコードする。具体的には、ビデオデコーダ２５２は、ビデオストリームに、可変長復号化、逆量子化、逆ＤＣＴ、動き補正等の各種処理を行うことで、ビデオストリームをＤＴＳ(Decoding Time Stamp)に応じたタイミングでデコードし、映像データを生成して映像処理部２６に出力する。
オーディオデコーダ２５３は、分離部２５１から入力されたオーディオストリームをデコードし、音声データを生成して音声処理部２７に出力する。
データデコーダ２５４は、分離部２５１から入力された字幕データ、ＳＩ等をデコードし、制御部３１、ＯＳＤ回路２８等に出力する。制御部３１に入力されたＳＩは、ＥＰＧ情報として図示しないＥＰＧメモリに格納されることとなる。
【００２５】
映像処理部２６は、入力される映像データに対して各種映像処理を施し、映像信号を生成する。生成された映像信号は、フレームメモリ（図示省略）に一旦格納された後に、ＰＴＳ(Presentation Time Stamp)に応じた再生タイミングで、表示部２９に出力される。
また、音声処理部２７は、入力される音声データに対して各種音声処理を施して、音声信号を生成し、生成された音声信号をＰＴＳに応じた再生タイミングで、音声出力部３０に出力する。
ＯＳＤ回路２８は、ＥＰＧの表示に際して、ＥＰＧメモリに格納されたＳＩから必要なデータを読み出し、読み出したデータに基づいてＥＰＧ表示用データを生成する。そして、生成されたＥＰＧ表示用データを、映像処理部２６から出力される映像信号に合成させ、表示部２９においてＥＰＧを表示させる。
【００２６】
表示部２９は、例えば、ＬＣＤ（Liquid Crystal Display）、ＰＤＰ（Plasma Display Panel）、有機ＥＬ(Electro Luminescence)ディスプレイ等の図示しないディスプレイを備え、映像処理部２６から入力された映像信号に基づく映像を当該ディスプレイに表示させる。
【００２７】
音声出力部３０は、例えば、図示しないスピーカ等を備え、音声処理部２７から入力された音声信号に基づく音声を増幅して、スピーカにより出力させる。
【００２８】
制御部３１は、ＣＰＵ（Central Processing Unit）３１１、ＳＴＣ(System Time Clock)等の計時部３１２、ＲＡＭ（Random Access Memory）３１３等の揮発性メモリ、ＥＰＲＯＭ（Erasable Programmable ROM）３１４等の不揮発性メモリ、ＲＯＭ（Read Only Memory）３１５等を備えて構成されている。
【００２９】
ＣＰＵ３１１は、本体部２の各部から入力された入力信号や、リモコン装置１における各種釦の押下操作によって入力されたリモコン信号等に応じて、ＲＯＭ３１５に格納された各種プログラムを実行するとともに、実行にかかるプログラムに基づいて本体部２の各部に出力信号を出力することにより、テレビジョン受像機１００の動作全般を統括制御する。
【００３０】
ＲＡＭ３１３は、ＣＰＵ３１１のワークエリアとして用いられ、ＣＰＵ３１１によって各種プログラムが実行される際に生じる処理結果や、入力されたデータ等を記憶する。
【００３１】
ＥＰＲＯＭ３１４は、例えば、後述するチャンネル・優先度設定プログラム３１５ａの実行において、リモコン装置１の数字釦１３の各々に割り当てられた複数のチャンネルと、数字釦１３の操作に基づく当該複数のチャンネルの選局における各チャンネルの優先度を記憶する設定メモリ３１４ａを備える。設定メモリ３１４ａについては、チャンネル・優先度設定プログラム３１５ａの説明の中で詳述する。
【００３２】
ＲＯＭ３１５は、不揮発性メモリから成るプログラム格納エリアを有しており、具体的には、チャンネル・優先度設定プログラム３１５ａ、第１の選局プログラム３１５ｂ、第２の選局プログラム３１５ｃ等を記憶している。
【００３３】
チャンネル・優先度設定プログラム３１５ａは、例えば、ＣＰＵ３１１に、数字釦１３の各々に割り当てる複数のチャンネルをユーザに設定させるとともに、数字釦１３の各々に割り当てる複数のチャンネルの各々に対して優先度を設定する機能を実現させるためのプログラムである。チャンネル・優先度設定プログラム３１５ａは、一のジャンルをユーザに選択させ、選択された当該一のジャンルに属するチャンネルの一覧Ｌ２を表示部２９に表示させ、表示部２９に表示されたチャンネルの中から、リモコン装置１によりチャンネルをユーザに選択させて設定させる。
ＣＰＵ３１１は、かかるチャンネル・優先度設定プログラム３１５ａを実行することにより、チャンネル設定手段及び優先度設定手段として機能する。
【００３４】
ここで、チャンネル・優先度設定プログラム３１５ａの実行によるチャンネル・優先度設定処理について、具体的に説明する。なお、以下の説明では、地上デジタル放送と、ＣＳデジタル放送のチャンネル・優先度設定処理について説明し、他の放送種別のチャンネル・優先度設定処理の説明は省略することとする。
【００３５】
まず、地上デジタル放送のチャンネル・優先度設定処理について説明する。
ＣＰＵ３１１は、リモコン信号受光部２１を介して入力されるリモコン信号に基づいて、リモコン装置１におけるユーザの指示操作を監視している。そして、表示部２９のメニュー画面等において、数字釦１３へのチャンネルの割り当て及び各チャンネルの優先度の設定を行うチャンネル・優先度設定処理の開始を指示する操作が行われると、初めに、ＣＰＵ３１１は、図４に例示する放送種別選択画面を表示部２９に表示させる。
【００３６】
図４の放送種別選択画面では、設定するチャンネルの放送種別を、例えば、地上デジタル放送、ＢＳデジタル放送、ＣＳデジタル放送の中からユーザに選択させる。
図４の放送種別選択画面において、例えば、ユーザが、地上デジタル放送を選択すると、次に、ＣＰＵ３１１は、図５のチャンネル設定画面を表示部２９に表示させる。
【００３７】
図５のチャンネル設定画面は、地上デジタル放送の受信に関して、各数字釦１３に対応付けるチャンネルを設定するための画面である。図５のチャンネル設定画面では、リモコン装置１に備わる数字釦１３の各々に、優先順位の最も高いチャンネル（以下の説明では、優先順位の最も高いチャンネルを「最優先チャンネル」、「優先順位の最も高いチャンネル」、又は、「優先順位１番目のチャンネル」という。）の割り当てを行う。ユーザは、例えば、最優先チャンネルの割り当てを行う数字釦１３の欄にフォーカスを合わせ、決定釦１９を押下する。すると、数字釦１３の欄のフォーカスが、数字釦１３に対応付けられたチャンネルの欄に遷移するので、ユーザは、カーソル釦１８の上下釦を操作して、当該数字釦１３に割り当てたい最優先チャンネルを選択し、決定釦１９の押下で確定する。
なお、図５に示すように、数字釦１３に割り当てる最優先チャンネルが確定されると、そのチャンネルのチャンネル名が表示されるようになっている。また、ユーザは、チャンネルを割り当てない数字釦１３に対しては、その数字釦１３の欄に対応するチャンネルの欄を空欄とする。
なお、数字１３に割り当てるチャンネルの確定時に表示される情報は、そのチャンネルのチャンネル名に限られることなく、そのチャンネルの放送局名（放送事業者名）等であっても良い。
【００３８】
図５のチャンネル設定画面において、数字釦１３に割り当てる最優先チャンネルを確定すると、ユーザは、次に、割り当てた最優先チャンネルが表示されている欄にフォーカスがある状態で、決定釦１９を押下する。すると、図６（ａ）のチャンネル設定画面が表示され、その数字釦１３に、複数のチャンネルを優先順位とともに割り当てるための一覧Ｌ１が表示される。図６（ａ）に示すように、チャンネル設定画面における一覧Ｌ１は、優先順位の欄、数字釦１３に割り当てるチャンネルの欄、そのチャンネルのチャンネル名の欄から構成されている。当該一覧Ｌ１において、優先順位１番目の欄に対応するチャンネルの欄と、チャンネル名の欄には、図５のチャンネル設定画面において既に設定された最優先チャンネルと、そのチャンネル名が表示されている。
【００３９】
図６（ａ）のチャンネル設定画面の一覧Ｌ１において、ユーザは、例えば、チャンネルの割り当てを行う優先順位の欄にフォーカスを合わせ、決定釦１９を押下する。すると、優先順位の欄のフォーカスが、その優先順位に対応付けられたチャンネルの欄に遷移するので、ユーザは、カーソル釦１８の上下釦を押下して、当該優先順位で、数字釦１３に割り当てたいチャンネルを選択し、決定釦１９の押下で確定する。チャンネルが確定されると、図６（ｂ）に示すように、そのチャンネルのチャンネル名が表示される。
このように、ユーザは、各数字釦１３に割り当てる複数のチャンネルを、優先順位とともに設定する。
【００４０】
なお、図６（ｂ）のチャンネル設定画面の一覧Ｌ１において、図５のチャンネル設定画面において設定した最優先チャンネルを変更することも可能である。一覧Ｌ１において、最優先チャンネルが変更されると、図６のチャンネル設定画面で、数字釦１３に割り当てられて表示されている最優先チャンネルの表示も、自動的に変更される。
また、図６（ｂ）のチャンネル設定画面の一覧Ｌ１では、一つの数字釦１３に割り当て可能なチャンネルの最大数を５つとしたが、割り当て可能なチャンネル数は変更可能である。また、図６（ｂ）のチャンネル設定画面の一覧Ｌ１では、優先順位が２番目以降のチャンネルのみが設定可能であるように構成しても良い。
【００４１】
図７は、例えば、ユーザが図５及び図６のチャンネル設定画面におけるチャンネル・優先度設定処理を終了して、一覧Ｌ１上に、数字釦１３に割り当てる全てのチャンネルが、優先順位の順に表示されたチャンネル設定画面を例示する図である。図７のチャンネル設定画面では、数字釦「８」１３に、「０８１」が優先順位１番目のチャンネル、「０８２」が優先順位２番目のチャンネル、「０９１」が優先順位３番目のチャンネルとして割り当てられている。
ＣＰＵ３１１は、図５〜図７のチャンネル設定画面におけるチャンネル・優先度設定処理により数字釦１３に割り当てられた複数のチャンネルを、各チャンネルの優先順位とともに、設定メモリ３１４ａに記憶させる。
【００４２】
次に、ＣＳデジタル放送のチャンネル・優先度設定処理について説明する。
ＣＰＵ３１１は、ユーザにより、表示部２９のメニュー画面等において、数字釦１３へのチャンネルの割り当てを設定するチャンネル・優先度設定処理の開始を指示する操作が行われると、図４に例示する放送種別選択画面を表示部２９に表示させる。そして、この放送種別選択画面において、ユーザが、ＣＳデジタル放送を選択すると、ＣＰＵ３１１は、図８のチャンネル設定画面を表示部２９に表示させる。
【００４３】
図８のチャンネル設定画面は、ＣＳデジタル放送の受信に関して、各数字釦１３に対応付けるチャンネルを設定するための画面である。図８のチャンネル設定画面では、リモコン装置１に備わる数字釦１３の各々に割り当てるチャンネルのジャンルをユーザに選択させる。ユーザは、例えば、ジャンルの割り当てを行う数字釦１３の欄にフォーカスを合わせ、決定釦１９を押下する。すると、数字釦１３の欄のフォーカスが、数字釦１３に対応付けられたジャンルの欄に遷移するので、ユーザは、カーソル釦１８の上下釦を操作して、当該数字釦１３に割り当てたいジャンルを選択し、決定釦１９の押下で確定する。図８のチャンネル設定画面において選択可能なジャンルとしては、例えば、「スポーツ」「映画・ドラマ」「エンタメ」「アニメ」」「ニュース・ドキュメンタリー」「音楽」「趣味」等がある。なお、より詳細に分類されたジャンルを設定可能であっても良い。
【００４４】
図８のチャンネル設定画面において、数字釦１３に対応付けるジャンルが確定されると、ＣＰＵ３１１は、確定されたジャンルに属するチャンネルを、ＳＩ等を用いて検索し、図９（ａ）に示すように、そのジャンルに属するチャンネルの一覧Ｌ２を表示部２９に表示させる。
図９（ａ）に示すように、当該一覧Ｌ２は、数字釦１３に対応付けられたジャンルに属するチャンネルの欄と、そのチャンネルのチャンネル名の欄と、数字釦１３に割り当てるチャンネルを、そのチャンネルの優先順位を設定することにより選択するための欄と、から構成されている。ユーザは、この一覧Ｌ２において、数字釦１３に割り当てたいチャンネルの欄にフォーカスを合わせ、決定釦１９を押下する。すると、図９（ｂ）に示すように、そのチャンネルの欄のフォーカスが、優先順位を設定するための欄に遷移するので、ユーザは、カーソル釦１８の上下釦を押下して、当該チャンネルの優先順位を選択し、決定釦１９の押下で確定する。このように、ユーザは、各数字釦１３に割り当てるジャンルと、そのジャンルに属する複数のチャンネルを、優先順位とともに設定する。
【００４５】
図１０は、例えば、ユーザ、図８及び図９のチャンネル設定画面におけるチャンネル・優先度設定処理を終了して、数字釦１３にジャンルが割り当てられるとともに、そのジャンルに属するチャンネルのうち、数字釦１３に割り当てる全てのチャンネルが、一覧Ｌ２上に、優先順位とともに表示されたチャンネル設定画面を例示する図である。図１０のチャンネル設定画面では、数字釦「３」１３に、ジャンル「スポーツ」が対応付けられ、数字釦「３」１３に、ジャンル「スポーツ」に属する「ＣＳ２１０」が優先順位１番目のチャンネル、「ＣＳ２１６」が優先順位２番目のチャンネル、「ＣＳ２１３」が優先順位３番目のチャンネル、「ＣＳ２１１」が優先順位４番目のチャンネルとして割り当てられている。
ＣＰＵ３１１は、図８〜図１０のチャンネル設定画面におけるチャンネル・優先度設定処理により数字釦１３に割り当てられた複数のチャンネルを、各チャンネルの優先順位とともに、設定メモリ３１４ａに記憶させる。
【００４６】
図１１は、図５〜図７の地上デジタル放送におけるチャンネル・優先度設定処理と、図８〜図１０のＣＳデジタル放送におけるチャンネル・優先度設定処理により、各数字釦１３に割り当てられた複数のチャンネルを優先順位とともに記憶する設定メモリ３１４ａを例示する図である。
【００４７】
第１の選局プログラム３１５ｂは、例えば、ＣＰＵ３１１に、数字釦１３の短押し操作に基づいて、数字釦１３に割り当てられた複数のチャンネルのうち、優先度設定手段としてのチャンネル・優先度設定プログラム３１５ａにより設定された優先順位の最も高いチャンネルを選局する機能を実現させるためのプログラムである。
【００４８】
具体的には、ＣＰＵ３１１は、リモコン信号受光部２１を介して入力されるリモコン信号に基づいて、リモコン装置１におけるユーザの指示操作を監視している。そして、複数のチャンネルが割り当てられている数字釦１３の押下操作が行われると、ＣＰＵ３１１は、その数字釦１３が押下されている時間をカウントし、当該押下が短押し操作（例えば、２秒未満の押下操作）であるか、又は、長押し操作（例えば、２秒以上の連続押下操作）であるかを判断する。そして、短押し操作である判断すると、設定メモリ３１４ａから、現在切り換えられている放送種別に対応して、短押し操作された数字釦１３に割り当てられている最優先チャンネルを読み出して、チューナ２３に、短押し操作されたチャンネルに対応付けられている最優先チャンネルの選局を指示する制御信号を出力し、このチャンネルの放送データを受信させる。
【００４９】
例えば、地上デジタル放送に切り換えられている状態で、「０８１」が最優先チャンネルとして割り当てられている数字釦「８」１３が短押し操作されると、ＣＰＵ３１１は、チューナ２３に、「０８１」の選局を指示し、地上デジタル放送「０８１」の放送データを受信させる。
また、例えば、ＣＳデジタル放送に切り換えられている状態で、ジャンル「スポーツ」に属する「ＣＳ２１０」が最優先チャンネルとして割り当てられている数字釦「３」１３が短押し操作されると、ＣＰＵ３１１は、チューナ２３に、「ＣＳ２１０」の選局を指示し、ＣＳデジタル放送「ＣＳ２１０」の放送データを受信させる。
ＣＰＵ３１１は、かかる第１の選局プログラム３１５ｂを実行することにより、第１の選局手段として機能する。
【００５０】
第２の選局プログラム３１５ｃは、例えば、ＣＰＵ３１１に、数字釦１３の長押し操作に基づいて、当該数字釦１３が長押し操作されている間に、数字釦１３に割り当てられた複数のチャンネルを順に選択し、当該長押し操作が終了した時点で選択されているチャンネルを選局する機能を実現させるためのプログラムである。
【００５１】
具体的には、ＣＰＵ３１１は、リモコン信号受光部２１を介して入力されるリモコン信号に基づいて、リモコン装置１におけるユーザの指示操作を監視している。そして、複数のチャンネルが割り当てられている数字釦１３の押下操作が行われると、ＣＰＵ３１１は、その数字釦１３が押下されている時間をカウントし、当該押下が短押し操作（例えば、２秒未満の押下操作）であるか、又は、長押し操作（例えば、２秒以上の連続押下操作）であるかを判断する。そして、長押し操作である判断すると、設定メモリ３１４ａから、現在切り換えられている放送種別に対応して、長押し操作された数字釦１３に割り当てられている優先順位が２番目のチャンネルを読み出して、そのチャンネルを選択する。さらに、当該数字釦１３の長押し操作が行われている間に、所定間隔（例えば、１秒間隔）毎に、当該数字釦１３に対応付けられている複数のチャンネルを、優先順位の高い順番に、順次選択する。そして、当該数字釦１３の長押し操作が終了すると、長押し操作が終了した時点で選択されているチャンネルの選局を指示する制御信号を、チューナ２３に出力し、そのチャンネルの放送データを受信させる。
また、図示は省略するが、ＣＰＵ３１１は、数字釦１３の長押し操作が行われている間、選択中のチャンネルを表示部２９にＯＳＤ表示させ、ユーザに選択中のチャンネルを報知する。
【００５２】
例えば、地上デジタル放送に切り換えられている状態で、優先順位１番目として「０８１」、優先順位２番目として「０８２」、優先順位３番目として「０９１」が割り当てられている数字釦「８」１３が長押し操作されると、ＣＰＵ３１１は、初めに、優先順位２番目の「０８２」を選択し、「０８２」のチャンネルが選択されている旨を表示部２９にＯＳＤ表示する。そして、所定間隔（例えば、１秒間隔）毎に、数字釦「８」１３に割り当てられているチャンネルを、優先順位の高い順に、順次選択する。即ち、（「０８２」）→「０９１」（優先順位３番目のチャンネル）→「０８１」（優先順位１番目のチャンネル）→・・・、が所定間隔毎に選択されることとなる。さらに、ユーザが、例えば、「０９１」に切り換えられている時点で、数字釦「８」１３の長押し操作を終了すると、ＣＰＵ３１１は、チューナ２３に、「０９１」（優先順位３番目のチャンネル）の選局を指示し、地上デジタル放送「０９１」の放送データを受信させる。
また、例えば、ＣＳデジタル放送に切り換えられている状態で、ジャンル「スポーツ」に属する、優先順位１番目として「ＣＳ２１０」、優先順位２番目として「ＣＳ２１６」、優先順位３番目として「ＣＳ２１３」、優先順位４番目として「ＣＳ２１１」が割り当てられている数字釦「３」１３が長押し操作されると、ＣＰＵ３１１は、初めに、優先順位２番目の「ＣＳ２１６」を選択し、「ＣＳ２１６」が選択されている旨を表示部２９にＯＳＤ表示する。そして、所定間隔（例えば、１秒間隔）毎に、数字釦「３」１３に割り当てられているチャンネルを、優先順位の高い順に、順次選択する。即ち、（「ＣＳ２１６」）→「ＣＳ２１３」（優先順位３番目のチャンネル）→「ＣＳ２１１」（優先順位４番目のチャンネル）→「ＣＳ２１０」（優先順位１番目のチャンネル）→・・・、が所定間隔毎に選択されることとなる。さらに、ユーザが、例えば、「ＣＳ２１１」に切り換えられている時点で、数字釦「３」１３の長押し操作を終了すると、ＣＰＵ３１１は、チューナ２３に、「ＣＳ２１１」（優先順位４番目のチャンネル）の選局を指示し、ＣＳデジタル放送「ＣＳ２１１」の放送データを受信させる。
ＣＰＵ３１１は、かかる第２の選局プログラム３１５ｃを実行することにより、第２の選局手段として機能する。
【００５３】
なお、数字釦１３の長押し操作に基づくチャンネルの切り換えは、上述のように、優先順位が２番目のチャンネルから、優先順位が高い順に切り換えられる場合に限られない。例えば、各数字釦１３の押下により視聴されたラストチャンネルを記憶するメモリ（図示省略）を設け、数字釦１３が長押し操作されると、そのメモリに基づいて、その数字釦１３の押下により視聴したラストチャンネルから、優先順位の高い順に切り換えられても良い。また、各数字釦１３の押下により視聴されたチャンネルの視聴履歴を、累積視聴時間の長い順に記憶するメモリを設け、数字釦１３が長押し操作されると、そのメモリに基づいて、その数字釦１３の押下により視聴した最も視聴時間の長いチャンネルから、視聴時間の長い順に切り換えられても良い。
また、数字釦１３の長押し操作に基づくチャンネルの切り換えは、上述のように、数字釦１３が連続して押下されている間に、所定間隔で切り換える場合に限られない。例えば、数字釦１３が数回に分けて長押し操作される度に、その数字釦１３に対応付けられたチャンネルに順に切り換えても良い。
また、数字釦１３の長押し操作により切り換えられるチャンネルに、最優先チャンネルは含まれなくても良く、最優先チャンネルは、数字釦１３の短押し操作によってのみ切り換え可能であっても良い。
【００５４】
次に、図１２のフローチャートを参照しながら、実施形態１のテレビジョン受像機１００におけるチャンネル選局処理について説明する。
【００５５】
ステップＳ１において、ＣＰＵ３１１は、リモコン装置１において、数字釦１３が押下操作されたか否かを判断する。ＣＰＵ３１１は、ステップＳ１において、数字釦１３が押下操作されたと判断すると（ステップＳ１；Ｙｅｓ）、ステップＳ２において、押下されている時間をカウントして、当該数字釦１３の押下操作が短押し操作（例えば、２秒未満の押下操作）であるか否かを判断する。
ＣＰＵ３１１は、ステップＳ２において、短押し操作であると判断すると（ステップＳ２；Ｙｅｓ）、ステップＳ３において、設定メモリ３１４ａから、短押し操作された数字釦１３に割り当てられている最優先チャンネルを読み出して、チューナ２３に、当該最優先チャンネルの選局を指示する制御信号を出力して、最優先チャンネルの放送データの受信に切り換え、本処理を終了する。
【００５６】
一方、ステップＳ２において、ＣＰＵ３１１は、数字釦１３の押下操作が短押し操作でなく、長押し操作（例えば、２秒以上の連続押下操作）であると判断すると（ステップＳ２；Ｎｏ）、ステップＳ４において、設定メモリ３１４ａから、長押し操作された数字釦１３に割り当てられている優先順位が次順位（初期値＝優先順位２番目）のチャンネルを読み出して、優先順位が次順位のチャンネルを選択し、選択されたチャンネルを表示部２９にＯＳＤ表示する。なお、本ステップＳ４において、既に選択されているチャンネルが、優先順位が最も低いチャンネルである場合には、優先順位の最も高いチャンネルが、優先順位が次順位のチャンネルとされる。
さらに、ＣＰＵ３１１は、ステップＳ５において、数字釦１３の長押し操作が終了したか否かを判断する。ＣＰＵ３１１は、ステップＳ５において、数字釦１３の長押し操作が終了していないと判断すると（ステップＳ５；Ｎｏ）、ステップＳ６において、ステップＳ４における前のチャンネルの選択から所定時間（例えば、１秒間）が経過したか否かを判断する。そして、ステップＳ６において、所定時間が経過していないと判断すると（ステップＳ５；Ｎｏ）、ステップＳ５に戻って以上の処理を繰り返し、一方、所定時間が経過したと判断すると（ステップＳ５；Ｙｅｓ）、ステップＳ４に戻って以上の処理を繰り返す。
【００５７】
一方、ＣＰＵ３１１は、ステップＳ５において、数字釦１３の長押し操作が終了したと判断すると（ステップＳ５；Ｙｅｓ）、ステップＳ７において、チューナ２３に、その時点で選択されているチャンネルの選局を指示する制御信号を出力して、そのチャンネルの放送データの受信に切り換え、本処理を終了する。
【００５８】
以上説明した実施形態１におけるテレビジョン受像機１００によれば、複数の数字釦１３を備えるリモコン装置１が備わり、チャンネル・優先度設定プログラム３１５ａの実行により、数字釦１３の各々に割り当てる複数のチャンネルがユーザにより設定されるとともに、数字釦１３の各々に割り当てる複数のチャンネルの各々に対して優先度が設定され、第１の選局プログラム３１５ｂの実行により、数字釦１３の短押し操作に基づいて、当該数字釦１３に割り当てられた複数のチャンネルのうち、チャンネル・優先度設定プログラム３１５ａの実行により設定された優先順位の最も高いチャンネルが選局され、第２の選局プログラム３１５ｃの実行により、数字釦１３の長押し操作に基づいて、当該数字釦１３が長押し操作されている間に、当該数字釦１３に割り当てられた複数のチャンネルが順に選択され、当該長押し操作が終了した時点で選択されているチャンネルが選局される。また、チャンネル・優先度設定プログラム３１５ａにより、一のジャンルがユーザにより選択され、選択された当該一のジャンルに属するチャンネルの一覧Ｌ２が表示部２９に表示され、当該表示部２９に表示された当該チャンネルの中から、リモコン装置１によりチャンネルがユーザにより選択されて設定される。
即ち、ユーザは、各数字釦１３に希望の複数のチャンネルを自由に設定することができるため、数字釦１３の押下によるチャンネルの選局に際して、ユーザが視聴しないチャンネルに切り換えられることによる効率性の低下を防ぐとともに、リモコン装置１の使い勝手を向上させることができる。また、数字釦１３を短押し操作すると、ユーザが設定した複数のチャンネルのうち、優先順位の最も高いチャンネルが選局され、数字釦１３を長押し操作すると、ユーザが設定した複数のチャンネルのうち、何れかのチャンネルが選局されることとなる。したがって、操作性に優れたチャンネル選局操作で、希望のチャンネルに効率良く切り換えることができるテレビジョン受像機１００を提供することができる。
【００５９】
また、チャンネル・優先度設定プログラム３１５ａの実行により、数字釦１３の各々に割り当てる複数のチャンネルの各々に対して優先度が設定されるため、例えば、ユーザ自身が、選局を望む可能性の高いチャンネルの順に優先度を設定すれば、数字釦１３に割り当てられた希望のチャンネルの選局がより容易となる。特に、選局を望む可能性の最も高いチャンネルの優先度を最も高く設定すれば、このチャンネルを数字釦１３の短押し操作により非常に容易に選局することができる。
【００６０】
また、第２の選局プログラム３１５ｃの実行により、数字釦１３が長押し操作されている間に、当該数字釦１３に割り当てられた複数のチャンネルが順に選択され、当該長押し操作が終了した時点で選択されているチャンネルが選局されるため、数字釦１３の割り当てられた各チャンネルを、数字釦１３の長押し操作のみで、非常に容易に選局できることとなる。
【００６１】
また、チャンネル・優先度設定プログラム３１５ａの実行により、一のジャンルがユーザにより選択され、選択された当該一のジャンルに属するチャンネルの一覧Ｌ２が表示部２９に表示され、当該表示部２９に表示されたチャンネルの中から、リモコン装置１によりチャンネルがユーザにより選択されて設定される。
したがって、ユーザは、各数字釦１３に、一のジャンルに属する複数のチャンネルを設定できることとなり、ユーザにとって、更に使い勝手の良いチャンネル選局操作が実現できる。特に、特定のジャンルの番組を専門に配信しているチャンネルをまとめて一つの数字釦１３に割り当てる場合に有効である。即ち、例えば、ユーザが、ジャンル「スポーツ」の番組を視聴したい場合には、ジャンル「スポーツ」に属する複数のチャンネルが割り当てられた数字釦１３を操作すれば、視聴を望むジャンル「スポーツ」に属する希望のチャンネルに効率良く切り換えることができる。また、チャンネルの設定操作において、一のジャンルを選択すると、そのジャンルに属するチャンネルが表示部２９に表示され、その中から希望のチャンネルを選択することができるため、ユーザは、ジャンル毎に複数のチャンネルを数字釦１３に割り当てる操作を、容易に行うことができる。
【００６２】
（実施形態２）
次に、本発明の実施形態２を、図面を参照しながら説明する。本実施形態２では、実施形態１と同様に、放送受信装置としてテレビジョン受像機２００を例に、本発明の説明を行う。
なお、以下の説明において、実施形態１と同じ部分には同一の符号を付して説明を省略し、実施形態１と異なる部分についてのみ説明を行うこととする。
【００６３】
図１３は、実施形態２におけるテレビジョン受像機２００の本体部２ａの要部構成を例示するブロック図である。
図１３に示すように、本体部２ａは、リモコン装置１からのリモコン信号を受信するリモコン信号受光部２１、地上デジタル放送・ＢＳデジタル放送・ＣＳデジタル放送等の放送データを受信するアンテナ２２、アンテナ２２により受信された放送データから希望チャンネルの放送データを選局する受信手段としてのチューナ２３、チューナ２３により選局された放送データを復調する復調部２４、復調部２４により復調された放送データを複数のデータに分離してデコードするデコーダ部２５、デコーダ部２５から入力される映像信号に対して所定の映像処理を行う映像処理部２６、デコーダ部２５から入力される音声信号に対して所定の音声処理を行う音声処理部２７、映像処理部２６により処理された映像信号にＯＳＤデータを付加するＯＳＤ回路２８、映像処理部２６により処理された映像信号を出力する表示部２９、音声処理部２７により処理された音声信号を出力する音声出力部３０、テレビジョン受像機２００全体を統括制御する制御部３２等を備えており、各部はバスにより接続されている。
【００６４】
制御部３２は、ＣＰＵ３２１、ＳＴＣ等の計時部３１２、ＲＡＭ３１３等の揮発性メモリ、ＥＰＲＯＭ３１４等の不揮発性メモリ、ＲＯＭ３２２等を備えて構成されている。
【００６５】
ＣＰＵ３２１は、本体部２ａの各部から入力された入力信号や、リモコン装置１における各種釦の押下操作によって入力されたリモコン信号等に応じて、ＲＯＭ３２２に格納された各種プログラムを実行するとともに、実行にかかるプログラムに基づいて本体部２ａの各部に出力信号を出力することにより、テレビジョン受像機２００の動作全般を統括制御する。
【００６６】
ＲＯＭ３２２は、不揮発性メモリから成るプログラム格納エリアを有しており、具体的には、チャンネル・優先度設定プログラム３１５ａ、第１の選局プログラム３１５ｂ、第２の選局プログラム３２２ａ等を記憶している。
【００６７】
第２の選局プログラム３２２ａは、例えば、ＣＰＵ３２１に、数字釦１３の長押し操作に基づいて、当該数字釦１３に割り当てられた複数のチャンネルの一覧Ｌ３を表示部２９に表示させ、当該一覧Ｌ３においてリモコン装置１により選択されたチャンネルを選局する機能を実現させるためのプログラムである。
【００６８】
具体的には、ＣＰＵ３２１は、リモコン信号受光部２１を介して入力されるリモコン信号に基づいて、リモコン装置１におけるユーザの指示操作を監視している。そして、複数のチャンネルが割り当てられている数字釦１３の押下操作が行われると、ＣＰＵ３２１は、押下されている時間をカウントし、当該押下が短押し操作（例えば、２秒未満の押下操作）であるか、又は、長押し操作（例えば、２秒以上の連続押下操作）であるかを判断する。そして、長押し操作である判断すると、設定メモリ３１４ａから、現在切り換えられている放送種別に対応して、長押し操作された数字釦１３に割り当てられている複数のチャンネルを読み出して、読み出したチャンネルの一覧Ｌ３を、表示部２９に表示させる。そして、この一覧Ｌ３において、ユーザのリモコン装置１の操作により、一のチャンネルが選択されると、チューナ２３に、選択されたチャンネルの選局を指示する制御信号を出力して、このチャンネルの放送データを受信させる。
【００６９】
例えば、地上デジタル放送に切り換えられている状態で、優先順位１番目として「０８１」、優先順位２番目として「０８２」、優先順位３番目として「０９１」が割り当てられている数字釦「８」１３が長押し操作されると、ＣＰＵ３２１は、設定メモリ３１４ａから、数字釦「８」１３に割り当てられているこれらのチャンネルを読み出して、図１４に示すように、数字釦「８」１３に割り当てられている複数のチャンネル「０８１」「０８２」「０９１」の一覧Ｌ３を表示部２９に表示させる。この一覧Ｌ３では、例えば、図１３に示すように、優先順位の順に、数字釦「８」に割り当てられているチャンネルと、そのチャンネル名と、各チャンネルで現在放送中の番組の番組名等の情報が表示されている。そして、当該一覧Ｌ３において、ユーザが、例えば、「０８２」を選択すると、ＣＰＵ３２１は、チューナ２３に、「０８２」（優先順位２番目のチャンネル）の選局を指示し、地上デジタル放送「０８２」の放送データを受信させる。
また、例えば、ＣＳデジタル放送に切り換えられている状態で、ジャンル「スポーツ」に属する、優先順位１番目として「ＣＳ２１０」、優先順位２番目として「ＣＳ２１６」、優先順位３番目として「ＣＳ２１３」、優先順位４番目として「ＣＳ２１１」が割り当てられている数字釦「３」１３が長押し操作されると、ＣＰＵ３２１は、設定メモリ３１４ａから、数字釦「３」１３に割り当てられているこれらのチャンネルを読み出して、図１５に示すように、数字釦「３」１３に割り当てられている複数のチャンネル「ＣＳ２１０」「ＣＳ２１６」「ＣＳ２１３」「ＣＳ２１１」の一覧Ｌ３を表示部２９に表示させる。そして、当該一覧Ｌ３において、ユーザが、例えば、「ＣＳ２１３」を選択すると、ＣＰＵ３２１は、チューナ２３に、「ＣＳ２１３」（優先順位３番目のチャンネル）の選局を指示し、ＣＳデジタル放送「ＣＳ２１３」の放送データを受信させる。
なお、数字釦１３に割り当てられたジャンルに属するチャンネルの一覧Ｌ３には、現在放送中の番組の番組名の他、放送時間や番組内容等、ＳＩから取得されるその他の情報を表示させても良い。
ＣＰＵ３２１は、かかる第２の選局プログラム３２２ａを実行することにより、第２の選局手段として機能する。
【００７０】
次に、図１６のフローチャートを参照しながら、実施形態２のテレビジョン受像機２００におけるチャンネル選局処理について説明する。
【００７１】
ステップＳ１１において、ＣＰＵ３２１は、リモコン装置１において、数字釦１３が押下操作されたか否かを判断する。ＣＰＵ３２１は、ステップＳ１１において、数字釦１３が押下操作されたと判断すると（ステップＳ１１；Ｙｅｓ）、ステップＳ１２において、押下されている時間をカウントして、当該数字釦１３の押下操作が短押し操作（例えば、２秒未満の押下操作）であるか否かを判断する。
ＣＰＵ３２１は、ステップＳ１２において、短押し操作であると判断すると（ステップＳ１２；Ｙｅｓ）、ステップＳ１３において、設定メモリ３１４ａから、短押し操作された数字釦１３に割り当てられている最優先チャンネルを読み出して、チューナ２３に、当該最優先チャンネルの選局を指示する制御信号を出力して、最優先チャンネルの放送データの受信に切り換え、本処理を終了する。
【００７２】
一方、ステップＳ１２において、ＣＰＵ３２１は、数字釦１３の押下操作が短押し操作でなく、長押し操作（例えば、２秒以上の連続押下操作）であると判断すると（ステップＳ１２；Ｎｏ）、ステップＳ１４において、設定メモリ３１４ａから、長押し操作された数字釦１３に割り当てられている複数のチャンネルの全てを読み出す。そして、ステップＳ１５において、長押し操作された数字釦１３に割り当てられているチャンネルの一覧Ｌ３を、表示部２９に表示させ、ステップＳ１６において、チャンネルの一覧Ｌ３においてリモコン装置１の操作により、ユーザにより選択されたチャンネルを判別する。そして、ステップＳ１７において、チューナ２３に、チャンネルの一覧Ｌ３において選局されたチャンネルの選局を指示する制御信号を出力して、当該選局されたチャンネルの放送データの受信に切り換え、本処理を終了する。
【００７３】
以上説明した実施形態２におけるテレビジョン受像機２００によれば、実施形態１のテレビジョン受像機１００と同様の効果が得られるとともに、第２の選局プログラム３２２ａの実行により、数字釦１３の長押し操作に基づいて、当該数字釦１３に割り当てられた複数のチャンネルの一覧Ｌ３が表示部２９に表示され、当該一覧Ｌ３においてリモコン装置１により選択されたチャンネルが選局されるため、数字釦１３の長押し操作のみで、数字釦１３の割り当てられた全チャンネルを、一目で容易に把握することができるとともに、希望のチャンネルを容易に選局できることとなる。
【００７４】
なお、本発明は、上記実施の形態に限られることなく、本発明の趣旨を逸脱しない範囲において種々の改良並びに設計の変更を行っても良い。
例えば、数字釦１３に割り当てられているチャンネルが２つの場合には、その数字釦１３の長押し操作に基づいて、２つのチャンネルうちの、優先順位が高い方のチャンネルを選局し、その数字釦１３の短押し操作に基づいて、優先順位の低い方のチャンネルを選局するように構成しても良い。
また、上記実施形態では説明を省略したが、例えば、データ放送や、ラジオ放送、ケーブルテレビジョン（Cable television）放送等のチャンネルを、数字釦１３に設定可能であっても良い。
また、異なる放送種別のチャンネルを、各数字釦１３にまとめて設定することができても良い。例えば、数字釦「１」１３に、地上デジタル放送におけるチャンネル「０１１」、ＢＳデジタル放送におけるチャンネル「１４１」、ＣＳデジタル放送におけるチャンネル「ＣＳ２４０」等を優先順位とともに設定可能であっても良い。これにより、放送種別の切換操作を行うことなく、希望の放送種別のチャンネルを、数字釦１３のワンタッチ操作で選局することができる。
また、数字釦１３に割り当てるジャンルを選択すると、複数の放送種別のチャンネルの中から、選択されたジャンルに属するチャンネルが検索されて、検索されたチャンネルの一覧が表示部２９に表示されるようになっていても良い。
また、例えば、異なる放送種別のチャンネルを、別々の数字釦１３に設定すれば、放送種別の切換操作を行うことなく、希望の放送種別のチャンネルを、数字釦１３のワンタッチ操作で選局することができる。
また、優先度設定手段により設定される優先度は、ユーザ自身が設定する場合に限られることなく、所定の基準に従って（例えば、視聴率の高い順、累積視聴時間の長い順等で）、自動的に設定されても良い。
【図面の簡単な説明】
【００７５】
【図１】実施形態１におけるテレビジョン受像機の全体図を例示する図である。
【図２】リモコン装置の平面図である。
【図３】実施形態１におけるテレビジョン受像機の本体部の要部構成を例示するブロック図である。
【図４】設定するチャンネルの放送種別を選択する表示部の放送種別選択画面を例示する図である。
【図５】チャンネル・優先度設定処理において表示部に表示される地上デジタル放送のチャンネル設定画面を例示する図である。
【図６】チャンネル・優先度設定処理において表示部に表示される地上デジタル放送のチャンネル設定画面を例示する図である。
【図７】チャンネル・優先度設定処理において表示部に表示される地上デジタル放送のチャンネル設定画面を例示する図である。
【図８】チャンネル・優先度設定処理において表示部に表示されるＣＳデジタル放送のチャンネル設定画面を例示する図である。
【図９】チャンネル・優先度設定処理において表示部に表示されるＣＳデジタル放送のチャンネル設定画面を例示する図である。
【図１０】チャンネル・優先度設定処理において表示部に表示されるＣＳデジタル放送のチャンネル設定画面を例示する図である。
【図１１】チャンネル・優先度設定処理において各数字釦に設定されたチャンネルを優先度とともに記憶する設定メモリを例示する図である。
【図１２】実施形態１のテレビジョン受像機におけるチャンネル選局処理を示すフローチャートである。
【図１３】実施形態２におけるテレビジョン受像機の本体部の要部構成を例示するブロック図である。
【図１４】実施形態２の第２の選局プログラムにおいて、表示部に表示される、長押し操作された数字釦に割り当てられているチャンネルの一覧を例示する図である。
【図１５】実施形態２の第２の選局プログラムにおいて、表示部に表示される、長押し操作された数字釦に割り当てられているチャンネルの一覧を例示する図である。
【図１６】実施形態２のテレビジョン受像機におけるチャンネル選局処理を示すフローチャートである。
【符号の説明】
【００７６】
１００    テレビジョン受像機（放送受信装置）
１        リモコン装置（操作入力装置）
１３      数字釦
２９      表示部
３１１    ＣＰＵ（チャンネル設定手段、優先度設定手段、第１の選局手段、第２の選局手段）
３１５ａ  チャンネル・優先度設定プログラム（チャンネル設定手段、優先度設定手段）
３１５ｂ  第１の選局プログラム（第１の選局手段）
３１５ｃ  第２の選局プログラム（第２の選局手段）
Ｌ２      一覧
２００    テレビジョン受像機（放送受信装置）
３２１    ＣＰＵ（チャンネル設定手段、優先度設定手段、第１の選局手段、第２の選局手段）
３２２ａ  第２の選局プログラム（第２の選局手段）
Ｌ３      一覧
【図１】
0005145845.tif 000002
【図２】
0005145845.tif 000003
【図３】
0005145845.tif 000004
【図４】
0005145845.tif 000005
【図５】
0005145845.tif 000006
【図６】
0005145845.tif 000007
【図７】
0005145845.tif 000008
【図８】
0005145845.tif 000009
【図９】
0005145845.tif 000010
【図１０】
0005145845.tif 000011
【図１１】
0005145845.tif 000012
【図１２】
0005145845.tif 000013
【図１３】
0005145845.tif 000014
【図１４】
0005145845.tif 000015
【図１５】
0005145845.tif 000016
【図１６】
0005145845.tif 000017